(57)【特許請求の範囲】
【請求項１】
壁に垂直に取り付けた２本のネジに対応するダルマ穴により壁に取り付ける壁掛機器の壁掛構造において、下カバーには背面に、第１のダルマ穴と、第１のダルマ穴の下部にネジ頭導入用の凹み部と、下方が欠けた第２のダルマ穴と、前記ネジ頭導入用の凹み部を一部に構成する凹み外壁兼用下リブを設け、上カバーには、内部に上リブを設け、係合した上カバーの上リブと下カバーの凹み外壁兼用下リブとにより下カバーの前記第1のダルマ穴の内部が壁掛機器内部から遮蔽され、第２のダルマ穴の内部が内壁により壁掛機器内部から遮蔽されていることを特徴とした壁掛機器の壁掛構造。
【請求項２】
上リブまたは凹み外壁兼用下リブのどちらか一方に凸部を設け他方に凹部を設け上リブと凹み外壁兼用下リブが勘合するようにしたことを特徴とする請求項1の壁掛機器の壁掛構造
【請求項３】
下カバーの第1のダルマ穴内部を両側面から囲むように上リブの下カバー背面方向両側に垂直板部を設けて第1のダルマ穴の内部が壁掛機器内部から遮蔽されるようにしたことを特徴とした請求項1の壁掛機器の壁掛構造。
【発明の詳細な説明】
【０００１】
【発明の属する技術分野】
本発明は、壁掛機器に壁掛け用のダルマ穴を設けて壁に取付ける壁掛機器の壁掛構造に関する。
【０００２】
【従来の技術】
従来では壁掛機器に射出成形工法等により壁掛け用のダルマ穴を２つ設け、これを壁に埋め込んだ２本のネジに引っ掛けて壁掛機器を壁に取付けていた。そしてダルマ穴を壁掛機器に設ける場合に、異物侵入防止のためダルマ穴により外側から機器内部が見えないように全体に内壁を設けている。また、２つのダルマ穴の間隔がある程度必要なことから内壁と外壁の間に２つのダルマ穴の間隔以上の距離の空洞を構成しなければならなかった。ダルマ穴からのネジ等の異物は一旦、上記空洞筐体内部に入ってからどこにも引っかからないように落下させ、外部に排出させるようにしているためこの空洞部は異物のサイズを考慮した筐体の外壁の中に長く大きなスペースとしなければならなかった。
【０００３】
【発明が解決しようとする課題】
デザイン的な規制を受ける壁掛機器において、または射出成形の容易さから、本来の機能とは関係のない上記のような空洞部の容量を小さくする構造が求められた。
【０００４】
本発明の目的は、機器本来の機能には関係のない異物侵入防止のための筐体の内部容量を少なくすると共に射出成形が容易にできる壁掛機器の壁掛構造を提供することにある。
【０００５】
【課題を解決するための手段】
この目的を達成するため、本発明の構成を以下のようにした。
（１）壁に垂直に取り付けた２本のネジに対応するダルマ穴により壁に取り付ける壁掛機器の壁掛構造において、下カバーには背面に、第１のダルマ穴と、第１のダルマ穴の下部にネジ頭導入用の凹み部と、下方が欠けた第２のダルマ穴と、前記ネジ頭導入用の凹み部を一部に構成する凹み外壁兼用下リブを設け、上カバーには、内部に上リブを設け、係合した上カバーの上リブと下カバーの凹み外壁兼用下リブとにより下カバーの前記第1のダルマ穴の内部が壁掛機器内部から遮蔽され、第２のダルマ穴の内部が内壁により壁掛機器内部から遮蔽されていることを特徴とした壁掛機器の壁掛構造。
（２）上リブまたは凹み外壁兼用下リブのどちらか一方に凸部を設け他方に凹部を設け上リブと凹み外壁兼用下リブが勘合するようにしたことを特徴とする第１項の壁掛機器の壁掛構造
（３）下カバーの第1のダルマ穴内部を両側面から囲むように上リブの下カバー背面方向両側に垂直板部を設けて第1のダルマ穴の内部が壁掛機器内部から遮蔽されるようにしたことを特徴とした第１項の壁掛機器の壁掛構造。
【０００６】
【発明の実施の形態】
図１は、本発明の一実施例である壁掛機器である充電器の中央断面図、図２は充電器の背面図、図３（１）は上カバーの底面図、図３（２）は下カバーの平面図、図４は下カバーの前方からの斜視図、図５は上カバーの下方からの斜視図、図６は従来の充電器の断面図である。なお、各図面において、本発明と直接関連のない部分は部分的に省略してある。
１は上カバー、２は下カバー、２１は第１のダルマ穴、２２は第２のダルマ穴、２３はネジ頭導入用の凹み部、３は上リブ、３１は平行板部、３２は凹部、３３は垂直板部、４は凹み外壁兼用下リブ（以下では下リブという）、４１は平行壁部、４２は凸部、４３は垂直壁部、４４は第２のダルマ穴の内壁、８は従来の壁掛機器である充電器、８１は上カバー、８２は下カバー、９０は空洞部、９１はダルマ穴、９２はダルマ穴、９３、９４は壁の取り付けられたネジである。
【０００７】
まず従来のコードレス電話機子機の充電器８を図６を用いてを説明する。図６（１）は本発明に関係のない部分を省略した充電器８の中央断面図を示し。図６（２）は充電器８の背面図を示している。充電器を壁に取付ける場合は予めネジ９３，９４を壁に取付けておく。次に充電器の背面に備えたダルマ穴９１、９２に各々ネジ９３、９４の頭を挿入するようにして充電器を壁に押し付け、さらに下方に引くことでネジの胴部がダルマ穴９１，９２の頭部に係合して充電器が壁に固定される。
【０００８】
一般の壁掛機器では壁から機器を外した時などネジを一緒に引き抜いてしまうことも往々にあり、ここに説明した従来の充電器８ではネジ９３、９４が充電器により壁から引き抜かれた場合、ネジ９３，９４は充電器８の空洞部９０に入ってさらに下方に落ちる。このようにしてネジまたはその他の異物が充電器内部に入らないようにしていた。しかし充電器内側にネジが引っ掛からない程度の空洞部９０を設けるのは小型の機器であると大きさやデザイン的に制約ができてしまうものであった。
【０００９】
以下に本発明の充電器の構成を説明する。
まず、下カバーの構成を説明する。図２、図１から下カバー２は背面中央より上側にダルマ穴２１を、背面下端にダルマ穴２２を設けてある。図１及び図２で示すようにダルマ穴２１の下部はネジ頭導入用の凹み部２３になっている。ダルマ穴２２は下方が切り欠かれていて、内部は内壁４４により囲まれており、充電器内部とは遮蔽されている。
また図４から下カバーにおいて、凹み部２３を一部に構成している凹み外壁兼用下リブ４は、下カバーの背面とほぼ平行になっている平行壁部４１と、背面と垂直になっている２つの垂直壁部４３とで構成される。また平行壁部４１の上端中央部は凸部になっている。
【００１０】
上カバー１の上リブ３下端は、下カバー２の凹み外壁兼用下リブ４の上端に合わせた形状となっている。すなわち上カバーの背面とほぼ平行になっている上リブの平行板部３１と、背面と垂直になっている上リブの２つの垂直板部３３とがそれぞれ下カバーの背面とほぼ平行になっている凹み外壁兼用下リブの平行壁部４１、背面と垂直になっている凹み外壁兼用下リブの垂直壁部４３に係合する構造である。
またさらに下カバーの平行壁部４１の凸部４２に勘合するように、上カバーの平行板部３１の下端は凹み形状の凹部３２となっている。
このようにして上カバー１と下カバー２を重ね合わせた時に、また上リブの２つの垂直板部３３が下カバー背面壁の内部側に接触するようにしてあるので下カバーのダルマ穴２１の内部へ貫通する穴部分は上カバー１の上リブにより完全に塞がれた状態となる。
【００１１】
また、図１で示すように下カバー２におけるダルマ穴２２の内部は内壁４４で囲まれていて充電器内部に通じていない。
【００１２】
なお、上カバー１と下カバー２は図１で示すように２ヶ所下カバー側からタッピングネジでもって結合させている。
そして壁に取り付ける時は、予め壁に取り付けた２本の木ネジの頭に充電器のそれぞれのダルマ穴を差込後、ネジ胴体にダルマ穴の頭部が当たるように充電器を少し下方に引くことで充電器の壁への取り付けが完了する。
【００１３】
【発明の効果】
以上のように壁から充電器を引き抜いたときに間違って抜けてしまったネジ又はゴミをダルマ穴内部から壁掛機器内部に入らないように上記の構成を採用したため、壁取り付けのためのスペースを少なくでき、デザインの自由度を獲得できるとともに、射出成形も簡単にすることができる。
【図面の簡単な説明】
【図１】本発明の一実施例である壁掛機器である充電器の中央断面図
【図２】充電器の背面図
【図３】上カバーの底面図と下カバーの平面図
【図４】下カバーの斜視図
【図５】上カバーの下方からの斜視図
【図６】従来の充電器の断面図と背面図
【符号の説明】
１    上カバー
２    下カバー
２１  第１のダルマ穴
２２  第２のダルマ穴
２３  ネジ頭導入用の凹み部
３    上リブ
３１  平行板部
３２  凹部
３３  垂直板部
４    凹み外壁兼用下リブ
４１  平行壁部
４２  凸部
４３  垂直壁部
４４  第２のダルマ穴の内壁
８  従来の壁掛機器である充電器
８１  上カバー
８２  下カバー
９０  空洞部
９１  ダルマ穴
９２  ダルマ穴
９３  ネジ
９４  ネジ
【図１】
0003765078.tif 000002
【図２】
0003765078.tif 000003
【図３】
0003765078.tif 000004
【図４】
0003765078.tif 000005
【図５】
0003765078.tif 000006
【図６】
0003765078.tif 000007